(57)【要約】  【課題】より簡易な構成で、磁気記録媒体の読み取りを容易に行うことができる情報記録手帳を提供する。  【解決手段】情報記録手帳１０は、手帳本体１２と、この手帳本体１２に設けられた記録媒体収納部２０及び記録用紙収納部２２と、手帳本体１２に回転可能に取り付けられ、顧客情報を記憶する記憶部２６を有する記録媒体２４とを有する。手帳本体１２には、記録媒体２４が回転されて記録媒体２４の記憶部２６が手帳本体１２の外部に突出された状態で、記録媒体２４を保持する保持手段としての切れ込み３２が設けられている。【選択図】図１
2009160824.tif 000002
【特許請求の範囲】
【請求項１】
手帳本体と、
前記手帳本体に回転可能に取り付けられ、顧客情報を記憶する記憶部を有する記録媒体と、
を有し、
前記手帳本体には、前記記録媒体が回転されて前記記録媒体の記憶部が前記手帳本体の外部に突出された状態で、前記記録媒体を保持する保持手段が設けられている
情報記録手帳。
【請求項２】
前記保持手段は、前記手帳本体に設けられた切れ込みである
請求項１に記載の情報記録手帳。
【請求項３】
前記手帳本体は、折り畳み自在である
請求項１又は２に記載の情報記録手帳。
【請求項４】
前記記録媒体は、前記手帳本体の一方の片に設けられており、
前記手帳本体の他方の片に設けられた記録用紙収納部をさらに有する
請求項１乃至３のいずれかに記載の情報記録手帳。
【請求項５】
前記記録媒体を収納する記録媒体収納部をさらに有する
請求項１乃至４のいずれかに記載の情報記録手帳。
【発明の詳細な説明】
【技術分野】
【０００１】
本発明は、顧客管理に用いられる情報記録手帳に関する。
【背景技術】
【０００２】
従来から、ガソリンスタンドでは、顧客情報が記憶された磁気カードが用いられている。磁気カードには、給油等に関する記録が記憶されており、顧客は、給油等に関する記録に応じて、割引等のサービスを受けられることが多い。またガソリンスタンドでは、例えば、エンジンオイル等のカー用品の販売、エンジンオイルやタイヤの交換等の点検整備作業が行われる。このような点検作業等に関する記録は、紙媒体で残されることがある。紙媒体の記録は、サービスを受ける際に確認されることがあるので、顧客は、磁気カードと紙媒体の記録を携帯する必要がある。このため、磁気カードと紙媒体とを保持する手帳が求められる。
【０００３】
特許文献１では、磁気記録媒体の磁気情報と書面記録媒体の書面情報とを常に同時に得ることのできる情報記録手帳が開示されている。
また、特許文献２では、磁気記録媒体の磁気情報と、書面記録媒体の書面情報とを常に同時に取得できる情報記録手帳であって、部品点数が少なく組立が容易であると共に、磁気記録媒体としての磁気カードの出し入れ操作が簡単な情報記録手帳が開示されている。
【０００４】
【特許文献１】特許第３１４２７９６号公報
【特許文献２】特開２０００−１５９５７号公報
【発明の開示】
【発明が解決しようとする課題】
【０００５】
本発明は、上述した背景からなされたものであり、より簡易な構成で、磁気記録媒体の読み取りを容易に行うことができる情報記録手帳を提供することを目的とする。
【課題を解決するための手段】
【０００６】
上記目的を達成するために、本発明に係る情報記録手帳は、手帳本体と、前記手帳本体に回転可能に取り付けられ、顧客情報を記憶する記憶部を有する記録媒体と、を有し、前記手帳本体には、前記記録媒体が回転されて前記記録媒体の記憶部が前記手帳本体の外部に突出された状態で、前記記録媒体を保持する保持手段が設けられている。本発明によれば、より簡易な構成で、磁気記録媒体の読み取りを容易に行うことができる。
【０００７】
好適には、前記保持手段は、前記手帳本体に設けられた切れ込みである。本発明によれば、保持するための部品を不要とすることができる。
【０００８】
好適には、前記手帳本体は、折り畳み自在である。本発明によれば、より容易に、情報記録手帳を持ち運ぶことができる。
【０００９】
好適には、前記記録媒体は、前記手帳本体の一方の片に設けられており、前記手帳本体の他方の片に設けられた記録用紙収納部をさらに有する。本発明によれば、情報が記憶部に記憶されていない場合においても、情報が記録用紙に印刷された状態で保持されることができる。
【００１０】
好適には、前記記録媒体を収納する記録媒体収納部をさらに有する。本発明によれば、手帳本体内で記録媒体が移動することを防ぐことができる。
【発明の効果】
【００１１】
本発明によれば、より簡易な構成で、磁気記録媒体の読み取りを容易に行うことができる。
【発明を実施するための最良の形態】
【００１２】
図１は、本発明の実施形態に係る情報記録手帳１０を示す。
図１に示すように、情報記録手帳１０は、手帳本体１２と、この手帳本体１２に設けられた記録媒体収納部２０及び記録用紙収納部２２と、記録媒体２４と、この記録媒体２４を手帳本体１２に回転可能に保持する固定部材２８とを有する。
【００１３】
手帳本体１２は、例えば、ポリプロピレン等の汎用プラスチック、紙等で構成され、表表紙１４、裏表紙１６及び背表紙１８からなる。表表紙１４と背表紙１８との境界部分、及び裏表紙１６と背表紙１８との境界部分には、折り目が付けられている。したがって、手帳本体１２は、この折り目に沿って、折り畳み自在である。手帳本体１２が折り畳まれた場合、後述する記録媒体２４は、手帳本体１２の内側に収納される。なお、表表紙１４と裏表紙１６との位置関係は、逆であってもよい。
【００１４】
記録媒体収納部２０は、表表紙１４の例えば下端に設けられている。記録媒体収納部２０は、表表紙１４の背表紙１８側に対応する辺が、表表紙１４の外側に対応する辺より長くなるような形状を有する。即ち、記録媒体収納部２０の上辺は、表表紙１４の外側に向かって低くなる傾斜を有する。また、記録媒体収納部２０は、下端及び背表紙１８側に対応する辺が表表紙１４に固着されて袋状に構成される。したがって、記録媒体２４は、表表紙１４の側方に出し入れ自在に記録媒体収納部２０に収納されて、情報記録手帳１０に保持される。記録媒体収納部２０は、例えば、ポリプロピレン、ポリエチレン等からなる。
【００１５】
記録用紙収納部２２は、裏表紙１６の端部に設けられている。より具体的には、記録用紙収納部２２は、手帳本体１２の外周部分に沿って三辺を手帳本体１２に固着されることにより、袋状に構成される。したがって、記録用紙（不図示）は、記録用紙収納部２２の他の一辺を介して側方に出し入れ自在に記録用紙収納部２２に収納されて、情報記録手帳１０に保持される。記録用紙収納部２２は、例えば、ポリプロピレン、ポリエチレン等からなる。
【００１６】
記録媒体２４は、顧客情報を記憶する記憶部２６を有する。この記憶部２６は、例えば、磁気的な記憶部分である。したがって、記録媒体２４は、磁気記録媒体として実現される。また、記録媒体２４は、手帳本体１２に回転可能に取り付けられている。より具体的には、記録媒体２４には穴が開けられており、固定部材２８がこの穴を貫通することにより、記録媒体２４は、固定部材２８を軸として回転可能に保持されている。このように、記録媒体２４は、手帳本体１２の一方の片（表表紙１４）に設けられており、手帳本体１２の他方の片（裏表紙２６）に、記録用紙収納部２２が設けられている。
【００１７】
本実施形態では、記録媒体２４の長手方向の辺が、手帳本体１２の上辺及び下辺と平行の位置にある場合、記録媒体２４は記録媒体収納部２０に収納される。ここで、記録媒体２４は、記録媒体２４の記憶部２６が上部に位置するように、記録媒体収納部２０に収納される。また、記録媒体２４が回転されて、記録媒体２４の長手方向の辺が、手帳本体１２の上辺及び下辺と平行の位置でなくなった場合、記録媒体２４の少なくとも一部は、手帳本体１２の外側に突出された状態になる。
【００１８】
記録媒体２４の記憶部２６には、例えば、顧客を識別する識別子、氏名、住所、カード番号、過去の利用記録（ポイントなど）等の顧客情報が記憶されている。顧客情報は、外部の読取装置（不図示）に読み取られて利用される。また、顧客情報は、外部の書込み装置（不図示）などにより、登録、更新及び削除される。したがって、顧客は、サービスを受ける毎に情報記録手帳１０を提示することにより過去の利用記録等に基づいて当該顧客に適したサービスを受けることができる。
【００１９】
手帳本体１２の側辺部には、例えば半円状の凹部３０が設けられている。より具体的には、凹部３０は、記録媒体収納部２０に収納された記録媒体２４の側辺に重なる位置に設けられている。したがって、利用者は、記録媒体２４が記録媒体収納部２０に収納されている場合においても、凹部３０を介して手帳本体１２の外部に出ている記録媒体２４の一部を摘むことができる。したがって、利用者は、記録媒体２４の一部を摘み、そのまま記録媒体２４を回転させて記録媒体収納部２０から容易に出すことができる。
【００２０】
手帳本体１２の表表紙１４には、例えば円弧状の切れ込み３２が設けられている。ここで、切れ込み３２は、その円弧の凸部が、手帳本体１２の外側（即ち、背表紙１８の方向とは逆方向）を向くように設けられている。また、切れ込み３２は、記録媒体２４が回転されて記憶部２６が手帳本体１２の外部に突出された状態で記録媒体２４を挟んで保持する位置に設けられている。したがって、切れ込み３２は、当該状態で記録媒体２４を保持する保持手段を構成する。
【００２１】
さらに、好適には、切れ込み３２の円弧は、例えば人差し指又は中指などの指先より大きい半径を有する。したがって、表表紙１４の切れ込み３２の箇所が指先で容易に押圧されることができる。このため、隙間が表表紙１４と切れ込み３２との間にでき、利用者は、記録媒体２４をこの隙間に簡単に挟むことができる。
【００２２】
図２は、記録媒体２４が回転されて記憶部２６が手帳本体１２の外部に突出され、記録媒体２４が切れ込み３２に保持されている態様を示す図である。
図２に示すように、記録媒体２４が図中の矢印方向に回転されると、記録媒体２４は記録媒体収納部２０から出され、記録媒体２４の一端が手帳本体１２の外部に突出された状態になる。この状態において、記録媒体２４の記憶部２６は、手帳本体１２の外側に出ている。また、記録媒体２４は、他端が手帳本体１２と切れ込み３２との隙間に挟まれるようにして、切れ込み３２に保持されている。
【００２３】
したがって、利用者は、手帳本体１２が折り畳まれた状態で記録媒体２４の記憶部２６だけを手帳本体１２から突出させ、表表紙１４と裏表紙１６とを挟むように保持し、読取装置（不図示）の読取方向に沿って例えば上下方向に手帳本体１２を移動させて記録媒体２４を読み取らせる。この間、記録媒体２４は切れ込み３２に保持されているので、記録媒体２４が例えば記録媒体収納部２０の方向へ移動してしまうことが防がれる。また、利用者は、折り畳まれた手帳本体１２の上から手で記録媒体２４自体を挟む必要がないので、自由な持ち方で読取操作を行うことができる。このように、利用者は、磁気記録媒体の読み取りを容易に行うことができる。
【図面の簡単な説明】
【００２４】
【図１】本発明の実施形態に係る情報記録手帳１０を示す。
【図２】記録媒体２４が回転されて記憶部２６が手帳本体１２の外部に突出され、記録媒体２４が切れ込み３２に保持されている態様を示す図である。
【符号の説明】
【００２５】
１０ 情報記録手帳
１２ 手帳本体
１４ 表表紙
１６ 裏表紙
１８ 背表紙
２０ 記録媒体収納部
２２ 記録用紙収納部
２４ 記録媒体
２６ 記憶部
２８ 固定部材
３０ 凹部
３２ 切れ込み
【図１】
2009160824.tif 000003
【図２】
2009160824.tif 000004